(57)【特許請求の範囲】
【請求項１】
基体と、
前記基体又は該基体に固定された保持部材上に設けられた端面発光型素子と、
前記端面発光型素子の光出射端面内を起点とし該光出射端面に略垂直な軸と交わるように、前記基体上に設けられた発光ダイオード素子と、
を備え、
前記端面発光型素子が前記発光ダイオード素子の下方に設けられ、
前記端面発光型素子の発光波長は、前記発光ダイオード素子の発光ピーク波長より長い、
ことを特徴とする発光装置。
【請求項２】
前記発光ダイオード素子は、基板と、素子構造を構成する半導体層と、を備え、
該発光ダイオード素子の上面、前記基板における前記半導体層側の面、前記基板内部のいずれかに、光学構造を備える、ことを特徴とする請求項１に記載の発光装置。
【請求項３】
前記端面発光型素子を複数備えた、ことを特徴とする請求項１または請求項２に記載の発光装置。
【請求項４】
前記複数の端面発光型発光素子は、発光波長が略同一であって、
各端面発光型素子の光出射端面内を起点とし該光出射端面に略垂直な軸が、前記発光ダイオード素子の中心軸に対して、斜めに且つ略回転対称となるように配置される、ことを特徴とする請求項３に記載の発光装置。
【請求項５】
前記発光ダイオード素子と前記端面発光型素子との間に、前記端面発光型素子の光を透過し前記発光ダイオード素子の光を少なくとも反射する波長選択性材が設けられる、ことを特徴とする請求項１〜請求項４のいずれか１項に記載の発光装置。
【請求項６】
前記発光ダイオード素子の側面における少なくとも一部領域に、絶縁性光反射材が設けられる、ことを特徴とする請求項１〜請求項５のいずれか１項に記載の発光装置。
【請求項７】
前記発光ダイオード素子の上面には、該上面の周縁に沿って遮光部材が設けられる、ことを特徴とする請求項１〜請求項６のいずれか１項に記載の発光装置。
【請求項８】
前記発光ダイオード素子の上面には、該発光ダイオード素子の光により励起される蛍光体を含む波長変換部材が設けられる、ことを特徴とする請求項１〜請求項７のいずれか１項に記載の発光装置。
【発明の詳細な説明】
【技術分野】
【０００１】
本発明は、複数の発光素子を備えた発光装置に関する。
【背景技術】
【０００２】
従来、赤色、緑色、青色の三つの発光素子を内蔵し、該三つの発光素子の少なくとも赤色の発光素子を半導体レーザ素子とする発明が提案された（特許文献１参照）。
【先行技術文献】
【特許文献】
【０００３】
【特許文献１】特開２００５−６４１６３号公報
【発明の概要】
【発明が解決しようとする課題】
【０００４】
しかしながら、上記従来の発明では、複数の発光素子から生じた光が、その複数の発光素子からそれぞれ取り出されるという問題があった。
【０００５】
そこで、本発明は、複数の発光素子から生じた光を１つの発光素子から取り出すことができる発光装置を提供することを目的とする。
【課題を解決するための手段】
【０００６】
本発明によれば、上記課題は、次の手段により解決される。
【０００７】
本発明は、基体と、前記基体又は該基体に固定された保持部材上に設けられた端面発光型素子と、前記端面発光型素子の光出射端面内を起点とし該光出射端面に略垂直な軸と交わるように、前記基体上に設けられた発光ダイオード素子と、を備え、前記端面発光型素子が前記発光ダイオード素子の下方に設けられ、前記端面発光型素子の発光波長は、前記発光ダイオード素子の発光ピーク波長より長い、ことを特徴とする発光装置である。
【０００９】
また、本発明は、前記発光ダイオード素子は、基板と、素子構造を構成する半導体層と、を備え、該発光ダイオード素子の上面、前記基板における前記半導体層側の面、前記基板内部のいずれかに、光学構造を備える、ことを特徴とする上記の発光装置である。
【００１０】
また、本発明は、前記端面発光型素子を複数備えた、ことを特徴とする上記の発光装置である。
【００１１】
また、本発明は、前記複数の端面発光型発光素子は、発光波長が略同一であって、各端面発光型素子の光出射端面内を起点とし該光出射端面に略垂直な軸が、前記発光ダイオード素子の中心軸に対して、斜めに且つ略回転対称となるように配置される、ことを特徴とする上記の発光装置である。
【００１２】
また、本発明は、前記発光ダイオード素子と前記端面発光型素子との間に、前記端面発光型素子の光を透過し前記発光ダイオード素子の光を少なくとも反射する波長選択性材が設けられる、ことを特徴とする上記の発光装置である。
【００１３】
また、本発明は、前記発光ダイオード素子の側面における少なくとも一部領域に、絶縁性光反射材が設けられる、ことを特徴とする上記の発光装置である。
【００１４】
また、本発明は、前記発光ダイオード素子の上面には、該上面の周縁に沿って遮光部材が設けられる、ことを特徴とする上記の発光装置である。
【００１５】
また、本発明は、前記発光ダイオード素子の上面には、該発光ダイオード素子の光により励起される蛍光体を含む波長変換部材が設けられる、ことを特徴とする上記の発光装置である。
【発明の効果】
【００１６】
本発明によれば、複数の発光素子から生じた光を１つの発光素子から取り出すことができる発光装置を提供することができる。
【図面の簡単な説明】
【００１７】
【図１】本発明の実施形態に係る発光装置の概略概念図である。
【図２】光学構造の一例を説明する図である。
【図３】本発明の実施形態に係る発光装置に遮光部材を設けた様子を示す図である。
【図４】複数の端面発光型素子の配置例を示す図である。
【図５】本発明の実施例１に係る発光装置の組立方法１を示す図である。
【図６】本発明の実施例１に係る発光装置の組立方法２を示す図である。
【図７】本発明の実施例２に係る発光装置を示す図である。
【図８】本発明の実施例３に係る発光装置を示す図である。
【発明を実施するための形態】
【００１８】
以下に、添付した図面を参照しつつ、本発明を実施するための形態について説明する。なお、説明の対象でない部材については、図示を適宜省略することがある。
【００１９】
図１は、本発明の実施形態に係る発光装置の概略概念図であり、（ａ）は平面図であり、（ｂ）は断面図（発光装置を図１（ａ）中の破線で切断した場合の断面）である。
【００２０】
図１に示すように、本発明の実施形態に係る発光装置は、基体１１と、基体１１上に設けられた発光ダイオード素子１２と、端面発光型素子１３と、を備えている。発光ダイオード素子１２は、端面発光型素子１３の光出射端面に略垂直な軸と交わるように設けられる。この軸は、端面発光型素子１３の光出射端面内、より好ましくは、端面発光型素子１３の光出射端面内の発光領域（端面発光型素子１３の光導波路の端面に相当する領域）内を起点とする。なお、以降、この軸を、端面発光型素子１３の光軸とも記す。
【００２１】
本発明の実施形態に係る発光装置では、発光ダイオード素子１２の下方に端面発光型素子１３が設けられ、端面発光型素子１３の光が、発光ダイオード素子１２の下面に入射し発光ダイオード素子１２から取り出される。
【００２２】
したがって、本発明の実施形態に係る発光装置によれば、複数の発光素子（発光ダイオード素子１２と端面発光型素子１３）から生じた光を１つの発光素子（発光ダイオード素子１２）から取り出すことができる。このため、複数の発光素子から生じた光を１つの発光素子に相当する微小領域から取り出すことができる。
【００２３】
複数の発光素子から生じた光を複数の発光素子からそれぞれ取り出す形態の場合、光学系（レンズ）を通すと色むらが生じてしまい、照明装置や液晶バックライトなどのシステムの光学性能を低下させる原因となる。しかしながら、本発明の実施形態に係る発光装置によれば、このような色むらを効果的に抑制することが可能となる。また、略同色発光の発光素子を複数用いる形態の場合、輝度むらを効果的に抑制することもできる。
【００２４】
なお、本発明の実施形態に係る発光装置では、発光ダイオード素子１２の上面を発光ダイオード素子１２及び端面発光型素子１３の光を取り出す主光取出し面とする。このようにすれば、複数の発光素子の光を発光ダイオード素子１２全体から取り出す場合よりも、光が取り出される領域をより限定することができる。
【００２５】
以下、詳細に説明する。
【００２６】
［基体］
基体１１としては、例えば、配線が設けられた実装用基板を用いることができる。また、キャビティが形成され、リードフレームと、これを一体的に保持する成形体と、を備えるパッケージでもよい。基体１１上には、発光ダイオード素子１２が設けられる。なお、発光ダイオード素子１２は、基体１１の上面に載置することにより基体１１上に直接的に設けることもできるし、基体１１の上面に載置されたサブマウントなどに載置することにより基体１１上に間接的に設けることもできる。
【００２７】
図１に示すように、基体１１は、貫通孔を有する基体であり、端面発光型素子１３の光は、基体１１の貫通孔を通って発光ダイオード素子１２の下面に入射する。この場合、基体１１としては、セラミック材、金属材、または樹脂材を用いることができる。なお、貫通孔の内壁には、光反射材を形成することができる。このようにすれば、端面発光型素子１３の光を、基体１１の吸収による光損失を抑え、発光ダイオード素子１２の下面に効率良く入射させることができる。
【００２８】
基体１１としては、サファイア基板やガラス基板などの透光性基板を用いることもできる。この場合は、端面発光型素子１３の光が基体１１を透過して発光ダイオード素子１２の下面に入射する。基体１１として透光性基板を用いる場合は、基体１１に設ける配線として、ＩＴＯなどの透光性導電材料を用いることが好ましい。
【００２９】
なお、本発明の実施形態に係る発光装置は、端面発光型素子１３を保持する保持部材（図１においては図示せず）を備えていることが好ましい。このような保持部材は、基体１１の一部位として設けることもできるが、基体１１とは別個の部材として設けることもできる。すなわち、端面発光型素子１３は、基体１１、又は該基体１１に固定された保持部材上に設けられる。保持部材を基体１１とは別個の部材として設ければ、発光ダイオード素子１２に対する端面発光型素子１３の位置や向きを容易に調整できるようになる。なお、端面発光型素子１３は、上述の発光ダイオード素子１２と同様に、基体１１又は保持部材に、直接的又は間接的に設けることができる。
【００３０】
［発光ダイオード素子］
（発光ダイオード素子の一例）
発光ダイオード素子１２としては、例えば、基板と、素子構造を構成する半導体層と、を備えたものを用いることができる。このほか、成長用基板が剥離された素子構造を構成する半導体層を発光ダイオード素子１２として用いることもできる。
【００３１】
＜基板＞
基板としては、透光性基板を用いることが好ましい。また、基板の厚みは、例えば、５０μｍ〜２００μｍとする。なお、透光性基板は、半導体層を成長させるために用いる成長用基板であってもよいし、半導体層に貼り付けられた基板であってもよい。半導体層に基板を貼り付ける場合は、例えば、リフトオフなどにより半導体層から成長用基板を剥離する。その後、透光性の接着剤を介して、又は熱圧着や表面活性化接合などで直接的に、半導体層に基板を貼り付ければ、光を効率良く取り出しやすい。成長用基板は、例えば、サファイア基板やＧａＮ基板などを用いることができる。半導体層に貼り付けられる基板は、これらに加え、ガラス基板などを用いることができ、蛍光体を含有するものでもよい。
【００３２】
＜半導体層＞
半導体層としては、例えば、窒化物半導体層を用いることができる。窒化物半導体層の厚みは、例えば、３μｍ〜１０μｍとする。窒化物半導体は、その組成により、バンドギャップエネルギーを紫外域〜可視・赤外域に相当する範囲で変えることができる。特に、窒化物半導体は、紫外光や青色光など短波長の光を効率良く出射可能な半導体層を構成することができる。このような短波長の光を効率良く出射可能な窒化物半導体層は、緑・赤色光など、それより長波長の光を吸収しにくい。このため、発光ダイオード素子１２の半導体層に窒化物半導体層を用いることで、端面発光型素子１３の光の吸収による損失を抑えやすく、端面発光型素子１３の光を効率良く取り出しやすくすることができる。
【００３３】
（発光ダイオード素子の実装）
発光ダイオード素子１２は、例えば、正電極と負電極とを同一面側に設け、金バンプなどを用いて基体１１にフリップチップ実装することができる。このようにすれば、発光ダイオード素子１２の上面側の電極やワイヤが不要となるため、発光ダイオード素子１２及び端面発光型素子１３の光利用効率を向上させることができる。
【００３４】
発光ダイオード素子１２の電極としては、例えば、ＩＴＯなどの透光性導電材料を用いることができる。このようにすれば、端面発光型素子１３の光が発光ダイオード素子１２の電極を透過して上面に向かいやすくなるため、端面発光型素子１３の光利用効率を向上させることができる。
【００３５】
なお、発光ダイオード素子１２が基板と半導体層を備える場合は、例えば、正電極と負電極とを同一面側に設けたり、正電極と負電極とを反対の面に各々設けたりし、半導体層が上面側となるように実装することもできる。なお、上面側の電極は、ワイヤにより基体１１の配線やリードフレームに接続される。この場合、発光ダイオード素子１２の固定材は、透光性部材を用いることが好ましい。さらに、その固定材に、絶縁性光散乱材を配合することで、光散乱効果を持たせてもよい。また、発光ダイオード素子１２が下面側に電極を備える場合には、固定材に透光性導電材料を配合させることで、基体１１の配線やリードフレームに電気的に接続できる。
【００３６】
（光学構造）
＜発光ダイオード素子の上面＞
発光ダイオード素子１２の上面には光学構造を形成することができる。このようにすれば、発光ダイオード素子１２及び端面発光型素子１３の光が発光ダイオード素子１２の上面で進行方向を変え、発光ダイオード素子１２の上面から取り出されやすくなると共に、発光ダイオード素子１２の上面における光強度の均一性を向上させることができる。
【００３７】
基板と半導体層を備えた発光ダイオード素子１２を用いて、基板を上面側とする場合は、基板をエッチングやレーザ加工、ブラスト加工で直接加工する方法や、透光性部材を基板に印刷成形する方法などにより、上記の光学構造を形成することができる。
【００３８】
また、基板と半導体層を備えた発光ダイオード素子１２を用いて、半導体層を上面側とする場合は、発光ダイオード素子１２の半導体層や電極をエッチング等で直接加工する方法や、透光性部材を半導体層や電極に印刷成形する方法などにより、上記の光学構造を形成することができる。
【００３９】
（発光ダイオード素子の基板における半導体層側の面＞
発光ダイオード素子１２が基板と半導体層を備える場合は、発光ダイオード素子１２の基板における半導体層側の面に光学構造を形成することができる。このようにすれば、発光ダイオード素子１２及び端面発光型素子１３の光が基板の半導体層側の面で進行方向を変え、発光ダイオード素子１２の上面から取り出されやすくなると共に、発光ダイオード素子１２の上面における光強度の均一性を向上させることができる。
【００４０】
＜発光ダイオード素子の基板内部＞
発光ダイオード素子１２が基板と半導体層を備える場合は、発光ダイオード素子１２の基板内部に光学構造を形成することができる。このようにすれば、基板内部で光が進行方向を変え、発光ダイオード素子１２の上面から取り出されやすくなると共に、発光ダイオード素子１２の上面における光強度の均一性を向上させることができる。この場合の光学構造は、フェムト秒レーザなどを用いて形成することができる。
【００４１】
＜光学構造の一例＞
図２は、光学構造の一例を説明する図である。光学構造としては、例えば、凸及び／又は凹を好ましく用いることができる。凸や凹は、規則的に形成することができるほか、不規則に形成することもできる。規則的に形成される凸や凹としては、例えば、図２（ａ）に示すレンズや図２（ｂ）に示すプリズムなどの単一の凸や凹から構成されるもののほか、回折格子など、複数の凸や凹がパターンを以て構成されるものを一例として挙げることができる。この複数の凸や凹は各々、上記レンズやプリズムであってもよいし、図２（ｃ）に示す断面視台形状の多面体（側面は傾斜又は湾曲していることが好ましい）のようなものでもよい。また、不規則に形成される凸や凹としては、例えば、粗面化処理された面上の凹凸（図２（ｄ））などを一例として挙げることができる。
【００４２】
［端面発光型素子］
（端面発光型素子と指向性）
端面発光型素子１３は、指向性のある光を端面から出射する発光素子であり、素子構造を構成する半導体層内に、光出射端面に略垂直な方向に延伸する光導波路を有する。具体的な端面発光型素子１３としては、例えば、半導体レーザ素子やスーパールミネッセンス・ダイオードなどの発光素子を用いることができる。これらを用いれば、端面発光型素子１３の光を発光ダイオード素子１２の下面に効率良く入射させることが可能となる。
【００４３】
（端面発光型素子から出射する光の波長）
端面発光型素子１３の発光波長は、発光ダイオード素子１２の発光ピーク波長より長い、ことが好ましい。発光ダイオード素子は、通常、発光ピーク波長より短波長域において、光を極端に吸収しやすくなる。したがって、このようにすれば、端面発光型素子１３の光が発光ダイオード素子１２に吸収されにくいため、端面発光型素子１３の光を発光ダイオード素子１２から取り出しやすくなり、端面発光型素子１３の光利用効率が向上する。
【００４４】
［発光ダイオード素子と端面発光型素子との間］
（光学部品）
発光ダイオード素子１２と端面発光型素子１３との間には、光学部品を設けることができる。このようにすれば、端面発光型素子１３から出射された光の向きを調整できるため、端面発光型素子１３の光利用効率を向上させることができる。光学部品としては、例えば、集光レンズ、フレイアレイレンズ、ロッドレンズなどを用いることができる。
【００４５】
（波長選択性材）
発光ダイオード素子１２と端面発光型素子１３との間には、端面発光型素子１３の光を透過しその他の光を反射する波長選択性材（例えば誘電体多層膜）を設けることができる。このようにすれば、端面発光型素子１３の光が波長選択性材を透過して発光ダイオード素子１２の上面から取り出されやすくなり、発光ダイオード素子１２の光などが波長選択性材で反射して発光ダイオード素子１２の上面から取り出されやすくなるため、発光ダイオード素子１２及び端面発光型素子１３の光利用効率を向上させることができる。
【００４６】
なお、波長選択性材は、例えば、発光ダイオード素子１２と端面発光型素子１３との間に光学部品を設ける場合には、この光学部品に設けることができる。また、基体１１として透光性基板を用いる場合には、透光性基板の上面及び／又は下面に設けることができる。
【００４７】
［見切り］
（発光ダイオード素子の側面における絶縁性光反射材）
発光ダイオード素子１２の側面における少なくとも一部領域には、絶縁性光反射材を設けることができる。特に、発光ダイオード素子１２のすべての側面に絶縁性光反射材を設けることが好ましい。
【００４８】
このようにすれば、絶縁性光反射材を見切りとして、発光ダイオード素子１２の上面を発光領域として明確に特定することができる。また、発光ダイオード素子１２に入射した端面発光型素子１３の光が絶縁性光反射材で反射して発光ダイオード素子１２の上面から取り出されやすくなるため、端面発光型素子１３の光利用効率を向上させることができる。さらに、絶縁性光反射材で反射した光が散乱されるため、発光ダイオード素子１２の上面における光強度の均一性を向上させることができる。
【００４９】
絶縁性光反射材は、透光性部材に配合して接着したり電気泳動電着したりすることにより、発光ダイオード素子１２の側面における少なくとも一部領域に固着させる。
【００５０】
（遮光部材）
図３は、本発明の実施形態に係る発光装置に遮光部材を設けた様子を示す図であり、（ａ）は平面図であり、（ｂ）は断面図（発光装置を図３（ａ）中の破線で切断した場合の断面）である。
【００５１】
図３に示すように、発光ダイオード素子１２の上面には、該上面の周縁に沿って遮光部材１４を設けることもできる。このようにすれば、遮光部材１４を見切りとして、発光ダイオード素子１２の上面を発光領域として明確に特定することができる。なお、遮光部材１４は、銀やアルミニウム等を枠状にスパッタしたり、絶縁性光反射材から成る枠状の部材を実装したり、することなどにより設けることができる。また、遮光部材１４は、発光ダイオード素子１２の側面に絶縁性光反射材を含む透光性部材を塗布する際、発光ダイオード素子１２の上面にその絶縁性光反射材を含む透光性部材が流れてくることを抑制することもできる。
【００５２】
［蛍光体を含む波長変換部材］
発光ダイオード素子１２の上面には、蛍光体を含む波長変換部材を設けることができる。このようにすれば、発光ダイオード素子１２や端面発光型素子１３の光を波長変換することができるため、多波長化が容易になる。
【００５３】
蛍光体は、例えば、透光性部材を用いた接着や電気泳動電着などにより、発光ダイオード素子１２の上面に固着させる。蛍光体は、発光ダイオード素子１２の光により励起されるものであればよい。
【００５４】
また、発光波長が青である１つの発光ダイオード素子１２と、発光波長が赤である１つの端面発光型素子１３と、発光波長が黄である蛍光体と、を設ければ、発光ダイオード素子１２と蛍光体から得られる白色光に赤味を追加できるようになり、演色性のより高い発光が可能となる。
【００５５】
［複数の端面発光型素子の配置例］
図４は、複数の端面発光型素子の配置例を示す図である。本発明の実施形態においては、複数の端面発光型素子を用いることもできる。この場合、複数の端面発光型素子１３は、垂直入射配置、すなわち、すべての端面発光型素子１３の光軸が発光ダイオード素子１２の中心軸と略平行になるように配置することができるほか、図４に示すように、斜め入射配置、すなわち、各端面発光型素子１３の光軸が発光ダイオード素子１２の中心軸に対して斜めになるように、好ましくは該中心軸と交差するように配置することができる。
【００５６】
複数の端面発光型素子１３を上記した斜め入射配置で配置する場合は、各端面発光型素子１３を、それらの光軸が発光ダイオード素子１２の中心軸に対して、略回転対称つまり基体１１上面視において等配配置（例えば、２つの端面発光型素子１３を配置する場合は１８０°間隔で配置し、３つの端面発光型素子１３を配置する場合は１２０°間隔で配置）となるように配置することが好ましい。このようにすれば、発光ダイオード素子１２から取り出される端面発光型素子１３の光の配光の偏りを低減することができる。このとき、特に、複数の端面発光型素子１３を、それらの光軸が発光ダイオード素子１２内で交差するように、配置することが好ましい。また、端面発光型素子１３は、その光軸が発光ダイオード素子１２の中心軸に対して０°より大きく４５°より小さくなるように傾斜させて配置することで、発光ダイオード素子１２に光を効率良く入射でき、好ましい。
【００５７】
なお、斜め入射配置は、特に、発光波長が略同一の複数の端面発光型素子１３を配置する場合に、その波長の光の配光を広げるうえで有効である。また、発光波長が略同一の複数の端面発光型素子１３を１組として、発光波長が異なる複数組の端面発光型素子を用いる場合に適用してもよい（例えば、発光波長が赤である２つの端面発光型素子を基体上面視において１８０°間隔で配置し、その間に（例えば赤の端面発光型素子に対して９０°間隔で）発光波長が緑である２つの端面発光型素子を同様に１８０°間隔で配置）。一方、垂直入射配置は、各端面発光型素子１３の光軸を揃えるうえで好ましく、特に発光波長が異なる複数の端面発光型素子１３を配置する場合に好適である。
【００５８】
［各種部材］
以上本発明の実施形態に係る発光装置について説明したが、上記で説明した絶縁性光反射材、透光性部材、及び蛍光体としては、例えば、次のものを用いることができる。
【００５９】
（絶縁性光反射材）
絶縁性光反射材としては、例えば、二酸化ケイ素、二酸化チタン、酸化アルミニウム、炭酸カルシウム、硫酸バリウムの無機粉末、またはそれらの混合物を用いることができる。
【００６０】
（光反射材）
光反射材としては、前述の絶縁性光反射材に加えて、例えば、アルミニウムや銀の金属系反射材を用いることできる。
【００６１】
（透光性部材）
透光性部材としては、例えば、脂環式エポキシ樹脂、シリコーン樹脂、フッ素樹脂、ガラス前駆体、またはそれらの混合物を用いることができる。
【００６２】
（絶縁性光散乱材）
絶縁性光散乱材としては、例えば、シリコーンやアクリルの樹脂製微粒子、若しくは中空ガラスビーズ、若しくは二酸化ケイ素、二酸化チタン、二酸化ジルコニウム、酸化アルミニウム、酸化亜鉛、炭酸鉛、硫酸バリウム、硫化亜鉛の無機粉末、またはそれらの混合物を用いることができる。
【００６３】
（透光性導電材料）
透光性導電材料としては、例えば、ＩＴＯ等を用いることができる。
【００６４】
（蛍光体）
蛍光体としては、例えば、ＹＡＧ、ＴＡＧ、シリケート系の蛍光体を用いることができる。
【実施例１】
【００６５】
（組立方法１）
図５は、本発明の実施例１に係る発光装置の組立方法１を示す図である。なお、一部の図については、平面図に加えて、断面図（発光装置を平面図中の破線で切断した場合の断面）も記載している。
【００６６】
まず、図５（ａ）に示すように、貫通孔Ａを有する実装用基板１０１を準備する。実装用基板１０１には、配線１０２が設けられている。
【００６７】
次に、図５（ｂ）に示すように、導電接着剤、半田ペースト、または超音波接合により、発光ダイオード素子１０３を実装用基板１０１にフリップチップ実装する。
【００６８】
次に、図５（ｃ）に示すように、絶縁性光反射材を含む樹脂１０４を発光ダイオード素子１０３の側面に塗布する。
【００６９】
次に、図５（ｄ）に示すように、保持部材１０５を準備し、準備した保持部材１０５にロッドレンズ等の光学部品１０６を固定する。光学部品１０６の出射面には、波長選択性材１０７が形成されている。保持部材１０５としては、例えば、セラミック材、金属材、樹脂材などを用いることができる。
【００７０】
次に、図５（ｅ）に示すように、発光ダイオード素子１０３が実装された実装用基板１０１を保持部材１０５の上面に固定し、半導体レーザ素子を収容するパッケージ１０８を保持部材１０５の下面に固定する。このとき、半導体レーザ素子を収容するパッケージ１０８を保持部材１０５に先に固定し、半導体レーザ素子を発光させながら、実装用基板１０１に対する保持部材１０５の固定位置を調整することが好ましい。なお、半導体レーザ素子を収容するパッケージ１０８には、キャンパッケージなどの気密封止パッケージや、キャンパッケージからキャップを除いた非気密封止パッケージを用いることができる。
【００７１】
（組立方法２）
図６は、本発明の実施例１に係る発光装置の組立方法２を示す図である。なお、一部の図については、平面図に加えて、断面図（発光装置を平面図中の破線で切断した場合の断面）も記載している。
【００７２】
まず、図６（ａ）に示すように、透光性を有する実装用基板１０１を準備する。実装用基板１０１には、配線１０２が設けられている。なお、配線１０２は、透光性導電材料から成っている。
【００７３】
次に、図６（ｂ）に示すように、導電接着剤（特に、ＩＴＯ粒子を透光性樹脂に配合した透光性の導電接着材）、半田ペースト、または超音波接合により、発光ダイオード素子１０３を実装用基板１０１にフリップチップ実装する。
【００７４】
次に、図６（ｃ）に示すように、絶縁性光反射材を含む樹脂１０４を発光ダイオード素子１０３の側面に塗布する。絶縁性光反射材を含む樹脂１０４が発光ダイオード素子１０３の下面に回りこむ恐れのある場合は、発光ダイオード素子１０３の下面にアンダーフィル１１１として透光性樹脂を先に充填しておくこともできる。
【００７５】
実装用基板１０１の下面には、波長選択性材１０７が設けられている。なお、波長選択性材１０７は、配線１０２と実施用基板１０１との間に設けて実装用基板１０１の上面に位置させることもできる。
【００７６】
次に、図６（ｄ）に示すように、集光レンズまたは光散乱部材などの光学部品１０９を保持部材１０５に固定する。
【００７７】
次に、図６（ｅ）に示すように、発光ダイオード素子１０３が実装された実装用基板１０１を保持部材１０５の上面に固定し、半導体レーザ素子を収容するパッケージ１０８を保持部材１０５の下面に固定する。このとき、半導体レーザ素子を収容するパッケージ１０８を保持部材１０５に先に固定し、半導体レーザ素子を発光させながら、実装用基板１０１に対する保持部材１０５の固定位置を調整することが好ましい。なお、半導体レーザ素子を収容するパッケージ１０８には、キャンパッケージなどの気密封止パッケージや、キャンパッケージからキャップを除いた非気密封止パッケージを用いることができる。
【００７８】
上記した組立方法１及び組立方法２により組み立てた本発明の実施例１に係る発光装置は、たとえば、次表に示す１〜３のように構成することができる。なお、表１中、ＬＤは半導体レーザ素子であり、ＬＥＤは発光ダイオード素子である。なお、ＬＤとＬＥＤは、同時に発光させることも、それぞれ独立して発光させることも可能である。また、表１中の構成（３）において、ＬＤの発光波長は、青色域において、ＬＥＤの発光ピーク波長より長いことが好ましい。
【表１】
0005853440.tif 000002
【実施例２】
【００７９】
図７は、本発明の実施例２に係る発光装置を示す図である。
【００８０】
本発明の実施例２に係る発光装置は、波長変換部材１１０が発光ダイオード素子１０３の上面に設けられたものである点で、本発明の実施例１に係る発光装置と相違する。波長変換部材１１０は、蛍光体を配合したシリコーン樹脂を印刷したものである。
【００８１】
このようにして組み立てた本発明の実施例２に係る発光装置は、たとえば、次表に示す１、２のように駆動させることができる。なお、表２中、ＬＤは半導体レーザ素子であり、ＬＥＤは発光ダイオード素子である。なお、表２中の構成（１）において、ＬＤとＬＥＤは、同時に発光させることも、それぞれ独立して発光させることも可能である。同時に発光させて、発光波長が赤のＬＤの光強度だけを変化させることで、演色性を変えることができる。また、表２中の構成（２）において、ＬＤの発光波長は、青色域において、ＬＥＤの発光ピーク波長より長いことが好ましい。
【表２】
0005853440.tif 000003
【００８２】
なお、波長変換部材１１０としては、蛍光体を配合したシリコーン樹脂を印刷するほか、蛍光体を配合した固形体（シリコーン樹脂やガラス材料）などを実装することもできる。
【００８３】
また、上記では、波長変換部材１１０の上面と側面が露出する形態について説明したが、波長変換部材１１０を発光ダイオード素子１０３上に載せた後、絶縁性光反射材を含む樹脂を塗布することにより、波長変換部材１１０の側面もその樹脂で覆われるようにしてもよい。このとき、波長変換部材１１０の上面はその樹脂から露出されている。
【実施例３】
【００８４】
図８は、本発明の実施例３に係る発光装置を示す図である。
【００８５】
本発明の実施例３に係る発光装置は、２つの半導体レーザ素子を備える点で、本発明の実施例１に係る発光装置と相違する。
【００８６】
このようにして組み立てた本発明の実施例３に係る発光装置は、たとえば、次表に示す１のように駆動させることができる。なお、表３中、ＬＤは半導体レーザ素子であり、ＬＥＤは発光ダイオード素子である。なお、各ＬＤとＬＥＤは、同時に発光させることも、それぞれ独立して発光させることも可能である。また、表３中の構成（２）において、各ＬＤの発光波長は、青色域において、ＬＥＤの発光ピーク波長より長いことが好ましい。
【表３】
0005853440.tif 000004
【００８７】
以上説明した本発明の実施例１〜実施例３に係る発光装置は、複数の素子から出射する光の波長を適宜選択することにより、様々な用途に用いることができる。例えば、複数の素子から赤、緑、青の光を出射させる場合は、照明装置、液晶のバックライト、携帯ストロボ、ＣＩＳ式スキャナ、アミューズメント（パチンコ等の光装飾）、自発光ディスプレイ、投射型ディスプレイ（ピコプロジェクタ、プロジェクタ他）、網膜走査ディスプレイ等に用いることができる。
【００８８】
以上、本発明の実施形態及び実施例について説明したが、これらの説明は、本発明の一例に関するものであり、本発明は、これらの説明によって何ら限定されるものではない。
【符号の説明】
【００８９】
１１    基体
１２    発光ダイオード素子
１３    端面発光型素子
１４    遮光部材
１０１    実装用基板
１０２    配線
１０３    発光ダイオード素子
１０４    樹脂
１０５    保持部材
１０６    光学部品
１０７    波長選択性材
１０８    半導体レーザ素子を収容するパッケージ
１０９    光学部品
１１０    波長変換部材
１１１    アンダーフィル
【図１】
0005853440.tif 000005
【図２】
0005853440.tif 000006
【図３】
0005853440.tif 000007
【図４】
0005853440.tif 000008
【図５】
0005853440.tif 000009
【図６】
0005853440.tif 000010
【図７】
0005853440.tif 000011
【図８】
0005853440.tif 000012